(57)【要約】【課題】  表示情報の受信が途切れてもその影響が出にくく映像表示をするとともに、表示情報の受信の復旧を素早く行うことのできる表示装置の仕組みを提供する。【解決手段】  情報処理装置と通信可能に接続され、当該情報処理装置から受信した表示情報を表示する表示装置であって、前記情報処理装置から表示情報を受信する受信手段と、受信した表示情報を表示する表示手段と、表示した表示情報を記憶する記憶手段と、表示情報の受信が途切れたことを条件に、表示情報が途切れた旨、または、受信が途切れる前の表示情報を表示している旨を、識別可能に通知する通知手段とを備え、前記表示手段は、表示情報の受信が途切れている状況に応じて、表示情報が途切れる前に前記記憶手段で記憶した表示情報を表示することを特徴とする表示装置。【選択図】  図４
2019101139.tif 000002
【特許請求の範囲】
【請求項１】
情報処理装置と通信可能に接続され、当該情報処理装置から受信した表示情報を表示する表示装置であって、
前記情報処理装置から表示情報を受信する受信手段と、
前記受信手段で受信した表示情報を表示する表示手段と、
前記表示手段で表示した表示情報を記憶する記憶手段と、
前記受信手段による前記情報処理装置からの表示情報の受信が途切れたことを条件に、前記受信手段で受信する表示情報が途切れた旨、または、受信が途切れる前の表示情報を前記表示手段で表示している旨を、識別可能に通知する通知手段とを備え、
前記表示手段は、前記受信手段による前記情報処理装置からの表示情報の受信が途切れている状況に応じて、表示情報が途切れる前に前記記憶手段で記憶した表示情報を表示することを特徴とする表示装置。
【請求項２】
前記通知手段は、表示手段を介した情報の表示、前記表示装置の明滅、音声のうち少、なくともいずれか１以上を含む通知であること特徴とする請求項１に記載の表示装置。
【請求項３】
前記受信手段による前記情報処理装置からの表示情報の受信が途切れている間の、表示情報が途切れる前に前記記憶手段で記憶した表示情報の表示と非表示との切換え指示を受付ける第１の切換指示受信手段を、更に備えることを特徴とした請求項１または２に記載の表示装置。
【請求項４】
前記記憶手段は、前記表示手段で表示した複数の表示情報を記憶できるよう設けられ、
前記受信手段による前記情報処理装置からの表示情報の受信が途切れている間の、表示情報が途切れる前に前記記憶手段で記憶した表示情報を、切換える指示を受付ける第２の切換指示受信手段を、更に備えることを特徴とする請求項１乃至３のうちいずれか１項に記載の表示装置。
【請求項５】
前記通知手段は、前記受信手段で受信する表示情報が途切れた旨を、識別可能に通知した後に、当該受信手段が表示情報を受信したことを条件に、当該受信手段が表示情報を受信した旨を、通知することを特徴とする請求項１乃至４のうちいずれか１項に記載の表示装置。
【請求項６】
情報処理装置と通信可能に接続され、当該情報処理装置から受信した表示情報を表示するとともに、表示した表示情報を記憶する記憶手段を備える表示装置における制御方法であって、
前記表示装置の受信手段が、前記情報処理装置から表示情報を受信する受信工程と、
前記表示装置の表示手段が、前記受信工程で受信した表示情報を表示する表示工程と、
前記表示装置の通知手段が、前記受信工程による前記情報処理装置からの表示情報の受信が途切れたことを条件に、前記受信工程で受信する表示情報が途切れた旨、または、受信が途切れる前の表示情報を前記表示工程で表示している旨を、識別可能に通知する通知工程とを含み、
前記表示工程は、前記受信工程による前記情報処理装置からの表示情報の受信が途切れている状況に応じて、表示情報が途切れる前に前記記憶手段で記憶した表示情報を表示することを特徴とする制御方法。
【請求項７】
情報処理装置と通信可能に接続され、当該情報処理装置から受信した表示情報を表示する表示装置で読み取り実行が可能なプログラムであって、
前記表示装置を、
前記情報処理装置から表示情報を受信する受信手段と、
前記受信手段で受信した表示情報を表示する表示手段と、
前記表示手段で表示した表示情報を記憶する記憶手段と、
前記受信手段による前記情報処理装置からの表示情報の受信が途切れたことを条件に、前記受信手段で受信する表示情報が途切れた旨、または、受信が途切れる前の表示情報を前記表示手段で表示している旨を、識別可能に通知する通知手段ととして機能させ、
前記表示手段は、前記受信手段による前記情報処理装置からの表示情報の受信が途切れている状況に応じて、表示情報が途切れる前に前記記憶手段で記憶した表示情報を表示することを特徴とするプログラム。
【請求項８】
情報処理装置と通信可能に接続され、当該情報処理装置から受信した表示情報を表示する表示のシステムであって、
前記情報処理装置から表示情報を受信する受信手段と、
前記受信手段で受信した表示情報を表示する表示手段と、
前記表示手段で表示した表示情報を記憶する記憶手段と、
前記受信手段による前記情報処理装置からの表示情報の受信が途切れたことを条件に、前記受信手段で受信する表示情報が途切れた旨、または、受信が途切れる前の表示情報を前記表示手段で表示している旨を、識別可能に通知する通知手段とを備え、
前記表示手段は、前記受信手段による前記情報処理装置からの表示情報の受信が途切れている状況に応じて、表示情報が途切れる前に前記記憶手段で記憶した表示情報を表示することを特徴とする表示のシステム。
【請求項９】
情報処理装置と通信可能に接続され、当該情報処理装置から受信した表示情報を表示するとともに、表示した表示情報を記憶する記憶手段を備える表示のシステムにおける制御方法であって、
前記表示のシステムの受信手段が、前記情報処理装置から表示情報を受信する受信工程と、
前記表示のシステムの表示手段が、前記受信工程で受信した表示情報を表示する表示工程と、
前記表示のシステムの通知手段が、前記受信工程による前記情報処理装置からの表示情報の受信が途切れたことを条件に、前記受信工程で受信する表示情報が途切れた旨、または、受信が途切れる前の表示情報を前記表示工程で表示している旨を、識別可能に通知する通知工程とを含み、
前記表示工程は、前記受信工程による前記情報処理装置からの表示情報の受信が途切れている状況に応じて、表示情報が途切れる前に前記記憶手段で記憶した表示情報を表示することを特徴とする制御方法。
【請求項１０】
情報処理装置と通信可能に接続され、当該情報処理装置から受信した表示情報を表示する表示のシステムで読み取り実行が可能なプログラムであって、
前記表示のシステムを、
前記情報処理装置から表示情報を受信する受信手段と、
前記受信手段で受信した表示情報を表示する表示手段と、
前記表示手段で表示した表示情報を記憶する記憶手段と、
前記受信手段による前記情報処理装置からの表示情報の受信が途切れたことを条件に、前記受信手段で受信する表示情報が途切れた旨、または、受信が途切れる前の表示情報を前記表示手段で表示している旨を、識別可能に通知する通知手段ととして機能させ、
前記表示手段は、前記受信手段による前記情報処理装置からの表示情報の受信が途切れている状況に応じて、表示情報が途切れる前に前記記憶手段で記憶した表示情報を表示することを特徴とするプログラム。
【発明の詳細な説明】
【技術分野】
【０００１】
本願発明は、表示装置、表示のシステム、及びその方法、プログラムに関する。
【背景技術】
【０００２】
近年、手軽さとコスト面から、ＰＣ（パーソナルコンピュータ）をプロジェクタにつないで、資料を投影しながら会議を行うスタイルが広く普及している。
【０００３】
しかしながら、投影資料の送信元のＰＣがひとたびフリーズしてしまうと、投影画像が投影できなくなり、ＰＣが復旧するまで会議が中断されてしまうという問題があった。
【先行技術文献】
【特許文献】
【０００４】
【特許文献１】特願２０１６−１９４０２２号公報
【発明の概要】
【発明が解決しようとする課題】
【０００５】
特許文献１には、ＰＣがスクリーンセーバモードに切替わった際に、スクリーンセーバの画像は投影せず、スクリーンセーバモードが解除されるまでの間、スクリーンセーバモードに入る直前まで投影していた画像を投影する仕組みが提示されている。
【０００６】
そして、この技術を応用し、プロジェクタへの表示情報の送信が途切れたことをトリガとすれば、ＰＣが復旧して表示情報が再度送られるまでの間、表示情報が途切れる直前までの映像を投影して表示させることが可能になる。
【０００７】
しかしながら、上記の仕組みではプロジェクタから投影される映像は、プロジェクタへの表示情報の送信が途切れる前後で見かけ上変化しない。したがって、ユーザが投影される映像だけを見ていると、ＰＣがダウンする等の理由から表示情報が途切れてしまっても、そのタイミングを識別することができない。特に、ＰＣの管理・操作者が、会議用のレーザポインタのような、プレゼンテーションソフトのスライド送りが実行できる無線通信機器を持ってＰＣの画面を見ずに演壇からＰＣの操作を行うような場合、こうした問題が起きやすい。
【０００８】
会議中やプレゼンテーション中にＰＣがダウンした場合、切断直前の画面は表示しつつも、ＰＣの管理・操作者は切断したことにいち早く気づき、ＰＣ早急に復旧させるべく、対処する必要がある。つまり、特許文献１には、この課題を解決できる仕組みが必要となる。
【０００９】
本発明は、表示情報の受信が途切れてもその影響が出にくく映像表示をするとともに、表示情報の受信の復旧を素早く行うことのできる表示装置の仕組みを提供することを目的とする。
【課題を解決するための手段】
【００１０】
本発明は、情報処理装置と通信可能に接続され、当該情報処理装置から受信した表示情報を表示する表示装置であって、前記情報処理装置から表示情報を受信する受信手段と、
前記受信手段で受信した表示情報を表示する表示手段と、前記表示手段で表示した表示情報を記憶する記憶手段と、前記受信手段による前記情報処理装置からの表示情報の受信が途切れたことを条件に、前記受信手段で受信する表示情報が途切れた旨、または、受信が途切れる前の表示情報を前記表示手段で表示している旨を、識別可能に通知する通知手段とを備え、前記表示手段は、前記受信手段による前記情報処理装置からの表示情報の受信が途切れている状況に応じて、表示情報が途切れる前に前記記憶手段で記憶した表示情報を表示することを特徴とする。
【発明の効果】
【００１１】
このように設けることで、表示情報の受信が途切れてもその影響が出にくく映像表示をするとともに、表示情報の受信の復旧を素早く行うことのできる表示装置の仕組みを提供することができる。
【図面の簡単な説明】
【００１２】
【図１】本発明のシステム構成の一例を示した構成図である。
【図２】本発明のハードウエアの構成の一例を示した構成図である。
【図３】本実施の形態における画像形成処理に関するフローの一例を示した構成図である。
【図４】表示装置１１０に表示される画面の一例を示した構成図である。
【図５】図４（ｂ）の画面切り替えの様子の一例を示した構成図である。
【図６】表示装置１１０の上部に備えられた入力デバイス２０９等の構成の一例を示した構成図である。
【発明を実施するための形態】
【００１３】
以下、図面を参照して、本発明の実施形態を詳細に説明する。
【００１４】
図１は、本発明のシステム構成の一例を示した構成図である。
【００１５】
表示装置１１０は、情報処理装置１２０から映像信号（表示情報）を受付けて、表示するための装置である。本実施例では、一例としてプロジェクタを挙げているが、特段これに限定はされない。表示装置１１０には、例えば、各種ディスプレイ（液晶ディスプレイ、有機ＥＬディスプレイ、ブラウン管ディスプレイ、ＳＥＤなど）等も含まれる。
【００１６】
情報処理装置１２０は、表示装置１１０に表示させるための映像信号（表示情報）を送信するための装置である。本実施例では、一例としてＰＣ（パーソナルコンピュータ）を挙げているが、特段これに限定はされない。情報処理装置１２０は、例えば、サーバシステム、スマートフォン、タブレット等の他、デジタルカメラ、デジタルビデオカメラなども含まれる。
【００１７】
通信ネットワーク１３０は、本発明の表示装置１１０と情報処理装置１２０とを通信可能に接続するネットワークである。通信方法には既存の様々な技術を用いることができる。有線であっても無線であってもよく、ＷＡＮ（Ｗｉｄｅ  Ａｒｅａ  Ｎｅｔｗｏｒｋ）であってもＬＡＮ（Ｌｏｃａｌ  Ａｒｅａ  Ｎｅｔｗｏｒｋ）であってもよい。
【００１８】
図２は、本発明のハードウエアの構成の一例を示した構成図である。本発明におけるハードウエアは、本発明の表示装置１１０および情報処理装置１２０である。
【００１９】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００２０】
入力コントローラ２０５は入力デバイス２０９を制御する。なお入力デバイス２０９には、タッチパネルも含まれ、その場合は、入力デバイス２０９が表示部２１０（画像を表示する表示画面を映すための表示装置）を兼ねているケースもある。２０６はビデオカード（ＶＣ）で、表示部２１０の表示を制御する。
【００２１】
２０７はメモリコントローラで、外部メモリ２１１（ハードディスク等）とのアクセスを制御する。２０８はネットワークインターフェースカード（ＮＩＣ）で、通信ネットワーク１３０上の通信を制御する。
【００２２】
映像表示ユニットコントローラ２２０は、少なくとも表示装置１１０に供えられている。映像表示ユニットコントローラ２２０は、映像表示ユニット２２１を制御する。各種ディスプレイであれば、ビデオコントローラ２０６が、これを兼ねていてもよい。
【００２３】
映像表示ユニット２２１は、情報処理装置１２０から受付けた表示情報を表示するためのユニットである。例えばプロジェクタであれば、映像を投射するために設けられた仕組み一式が（ランプ、レンズ、冷却器等々）相当する。また、各種ディスプレイであれば、表示部２１０がこれを兼ねていてもよい。
【００２４】
音声機構ユニットコントローラ２３０は、少なくとも表示装置１１０に供えられている。音声機構ユニットコントローラ２３０は、音声機構ユニット２３１を制御する。
【００２５】
音声機構ユニット２３１は、情報処理装置１２０から受付けた表示情報に基づく通知を含む、ユーザへの様々な通知を音声によって行うためのユニットである。具体的には、例えば様々な既存の方式のスピーカが含まれる。
【００２６】
ランプユニットコントローラ２４０は、少なくとも表示装置１１０に供えられている。ランプユニットコントローラ２４０は、ランプユニット２４１を制御する。
【００２７】
ランプユニット２４１は、情報処理装置１２０から受付けた表示情報に基づく通知を含む、ユーザへの様々な通知をランプの明滅によって行うためのユニットである。具体的には、例えば様々な既存の方式のランプ（ＬＥＤ、電球、蛍光管など）が含まれる。
【００２８】
図３は、本実施の形態における画像形成処理に関するフローの一例を示した構成図である。
【００２９】
本時実施例の各図のフローの説明においては、具体的には、ＣＰＵ２０１が外部メモリに記憶された制御プログラムをＲＡＭ２０３にロードして実行することにより行われるものである。しかし、簡易な表現とすべく表示装置１１０、情報処理装置１２０を主体として説明する。
【００３０】
また、ユーザからの指示の受付は、特に限定されるものではなく、既存の方法を用いることができるものとする。具体的には、例えば、入力デバイス２０９（ＫＢ／ボタン／タッチパネル等）や表示端末（表示部）２１０を介して受けつける方法が含まれる。
【００３１】
ステップＳ３０１では、情報処理装置１２０は、表示映像を表示装置１１０に送信する。
【００３２】
ステップＳ３０２では、表示装置１１０は、ステップＳ３０１で送信された表示映像を受信する（受付ける）。なお、このステップにおける表示情報の受付は、情報処理装置１２０との通信が可能な状態であれば、所定の間隔以上で途切れないように受付けることができるよう設けられている。（受信手段）
ステップＳ３０３では、表示装置１１０は、ステップＳ３０２にて表示情報を受信したか否かの判定を行う。
【００３３】
そして、受信したと判定した場合には、ステップＳ３１３に遷移する。
【００３４】
一方、受信したと判定しなかった場合には、ステップＳ３０４に遷移する。
【００３５】
ステップＳ３０４では、表示装置１１０は、ステップＳ３１０にて表示情報をオフにする指示を受付けているか否かの判定を行う。
【００３６】
そして、受付けたと判定した場合には、ステップＳ３０６に遷移する。
【００３７】
一方、受付けたと判定しなかった場合には、ステップＳ３０５に遷移する。
【００３８】
ステップＳ３０５では、表示装置１１０は、ステップＳ３０２で受信できなかった表示映像に代わり、ステップＳ３１６で記憶した表示情報を表示する。また、ステップＳ３０２で受信できなかった旨を合わせて通知する。通知の方法は、図４のように切断テロップ４０１を表示する方法、図６のように、警告ランプ６０１を光らせて通知する方法、スピーカ６０２を用いて音声で通知する方法等が含まれる。また、切替案内表示４０２もステップＳ３１６で記憶された表示情報と併せて表示する。
【００３９】
つまり、このステップでは、情報処理装置から送信される表示情報が途切れた状況に応じて、表示情報の代わりに、、表示情報の受付が途切れている間、表示情報の途切れる前に記憶した表示情報を表示するのである。（表示手段）
またこのステップでは、表示情報が途切れた旨を、通知するのである。（通知手段）
ステップＳ３０６では、表示装置１１０は、ステップＳ３１６で記憶した表示情報は表示せずに、切断テロップ４０１と切替案内表示４０２とを表示する。
【００４０】
ステップＳ３０７では、表示装置１１０は、ユーザから表示情報の切換え指示を受付ける。
【００４１】
つまり、このステップでは、表示情報の受付が途切れている間に、ステップS３１６で記憶した表示情報が途切れる前の表示情報を、切換える指示を受付けるのである。（第２の切換指示受信手段）
また、このステップの切替え受付の方法については、特段限定されないが、例えば、図６の十字キー６０４にて受け付けることができる。
【００４２】
ステップＳ３０８では、表示装置１１０は、ステップＳ３０７で表示情報の切換え指示を受付けたか否かを判定する。
【００４３】
そして、受付けたと判定した場合には、ステップＳ３０９に遷移する。
【００４４】
一方、受付けたと判定しなかった場合には、ステップＳ３１０に遷移する。
【００４５】
ステップＳ３０９では、表示装置１１０は、ステップＳ３０７で受付けた、表示情報の切換え指示に基づいて、表示情報の切換えを行う。
【００４６】
このステップに基づく画面遷移の詳細については、図５にて後述するが、切換えられる表示情報には、切断テロップ４０１、切替案内表示４０２が付されるものとする。
【００４７】
ステップＳ３１０では、表示装置１１０は、ユーザから表示情報の表示・非表示の（ＯＮ／ＯＦＦの）切換え指示を受付ける。
【００４８】
つまり、このステップでは、表示情報の受付が途切れている間に、ステップS３１６で記憶した表示情報が途切れる前の表示情報の表示と非表示との切換え指示を受付けるのである。（第１の切換指示受信手段）
また、このステップの切替え受付の方法については、特段限定されないが、例えば、図６のＯＫボタン６０５にて受け付けることができる。
【００４９】
ステップＳ３１１では、表示装置１１０は、ステップＳ３１０で表示情報の表示と非表示との切換え指示を受付けたか否かを判定する。
【００５０】
そして、受付けたと判定した場合には、ステップＳ３１２に遷移する。
【００５１】
一方、受付けたと判定しなかった場合には、ステップＳ３１７に遷移する。
【００５２】
ステップＳ３１２では、表示装置１１０は、ステップＳ３１０で受付けた、表示情報の切換え指示に基づいて、表示情報の表示と非表示との切換えを行う。
【００５３】
このステップに基づく画面遷移の詳細については、図４にて後述するが、図４（ｂ）の状態（表示情報の表示状態）でこのステップに遷移した場合には図４（ｃ）の状態（表示情報の非表示状態）に遷移する。反対に、図４（ｃ）の状態でこのステップに遷移した場合には図４（ｂ）の状態に遷移する。いずれの画面でも切断テロップ４０１が表示される。
【００５４】
ステップＳ３１３では、表示装置１１０は、ステップＳ３０２での表示情報の受信が、再受信（再接続）であるか否かの判定を行う。
【００５５】
そして、再受信であると判定した場合には、ステップＳ３１４に遷移する。
【００５６】
一方、再受信であると判定しなかった場合には、ステップＳ３１５に遷移する。
【００５７】
このステップの判定は、ステップＳ３０２で、受信する表示情報が途切れた旨を、通知した後に、ステップＳ３０２で表示情報を受付けたか否かで判定されるものである。
【００５８】
つまり、図４（ｂ）や図４（ｃ）の状態で、ステップＳ３０２で表示情報を受信した場合には「再受信」と判定される。一方、図４（ａ）の状態で、ステップＳ３０２にて表示情報を受信した場合には「再受信」と判定されない。
【００５９】
ステップＳ３１４では、表示装置１１０は、ステップＳ３０２で受信した表示情報を、表示する。また、ステップＳ３０２で表示情報を再受信した旨を併せて通知する。通知の方法は、図４（ｄ）のように再受信テロップ４０３を表示する方法、図６のように、警告ランプ６０１を光らせて通知する方法、スピーカ６０２を用いて音声で通知する方法等が含まれる。
【００６０】
つまり、このステップでは、ステップＳ３０２で受付けた表示情報を表示するのである。（表示手段）
また、ステップＳ３０５やステップＳ３０６で表示情報が途切れた旨を、識別可能に通知した後に、ステップＳ３０２で表示情報を再受信したことを、条件として、その旨を通知するのである。（通知手段）
ステップＳ３１５では、表示装置１１０は、ステップＳ３０２で受信した表示情報を、表示する。
【００６１】
つまり、このステップでは、ステップＳ３０２で受付けた表示情報を表示するのである。（表示手段）
このステップで表示される画面の一例については、図４（ａ）にて後述する。
【００６２】
ステップＳ３１６では、表示装置１１０は、ステップＳ３１４やステップＳ３１５で表示した表示情報を記憶する。
【００６３】
この表示装置１１０では、表示した表示情報（＝表示情報が途切れる前の表示情報）を複数記憶できるよう設けられている。どのような形で複数の表示情報を記憶するかについては、様々な方法が考えられるが、例えば、所定の時間間隔が経過した場合や、表示するスライドが切替わるたびに、表示情報を記憶できるように設けておく方法が考えられる。（記憶手段）
ステップＳ３１７では、表示装置１１０は、ユーザから本フローを終了する指示を受付ける。
【００６４】
具体的な受付け方法は特段限定されないが、例えば、図６の電源ボタン６０３の押下を介して受つけるような方法が考えられる。
【００６５】
ステップＳ３１８では、表示装置１１０は、ステップＳ３１７でユーザから本フローを終了する指示を受付けたか否かの判定を行う。
【００６６】
そして、終了する指示を受付けたと判定した場合には、本フローを終了する。
【００６７】
一方、終了する指示を受付けたと判定しなかった場合には、ステップＳ３０２に遷移する。
【００６８】
ステップＳ３１９では、情報処理装置１２０は、表示装置１１０は、ユーザから本フローを終了する指示を受付ける。
【００６９】
具体的な受付け方法は特段限定されないが、例えば、シャットダウンの処理を受つけるような方法が考えられる。
【００７０】
ステップＳ３２０では、情報処理装置１２０は、ステップＳ３１９でユーザから本フローを終了する指示を受付けたか否かの判定を行う。
【００７１】
そして、終了する指示を受付けたと判定した場合には、本フローを終了する。
【００７２】
一方、終了する指示を受付けたと判定しなかった場合には、ステップＳ３０１に遷移する。
【００７３】
図４は、表示装置１１０に表示される画面の一例を示した構成図である。
【００７４】
なお、この実施例における表示情報には、プレゼンテーションソフトで編集されたスライドが一例として挙げられているが、写真、表やグラフ、文章、動画等をはじめとする様々な映像情報を、表示情報として扱うことができるものとする。
【００７５】
図４（ａ）は、ステップＳ３１５で表示される表示画面の一例を示した構成図である。
【００７６】
図４（ａ）では、表示装置１１０が、情報処理装置１２０から、表示情報を受信している状態で、表示する画面の一例を示している。
【００７７】
図４（ｂ）は、ステップＳ３０５、ステップＳ３０９、ステップＳ３１２等で表示される表示画面の一例を示した構成図である。
【００７８】
図４（ｂ）では、表示装置１１０が、情報処理装置１２０からの表示情報の受信が途切れている間に、表示する画面の一例を示している。図４（ｂ）で表示している画面は、ステップＳ３１６で記憶された表示情報であり、表示情報が途切れる前に、ステップＳ３１４または、ステップＳ３１５で表示された表示情報である。
【００７９】
切断テロップ４０１は、表示装置１１０が、情報処理装置１２０からの表示情報の受信が
途切れている旨を表示（通知）するテロップである。切断テロップ４０１は、表示情報であれば良く、例えば、記号等であっても構わない。
【００８０】
切替案内表示４０２は、ステップＳ３１６で記憶された表示情報（複数のスライドストックしている）の切換方法や、表示情報を非表示にするための方法を案内するテロップである。
【００８１】
図４（ｂ）では、表示装置１１０が、十字キー６０４の左右方向のボタンの押下を受付けると、図５に示すような画面の切換えができる旨を示している。また、ＯＫボタン６０５の押下を受付けると、表示画面のＯＮ（図４（ｂ）の状態）とＯＦＦ（図４（ｃ）の状態）とが切りかえられる旨を示している。
【００８２】
図４（ｃ）は、ステップＳ３０６やステップＳ３１２で表示される表示画面の一例を示した構成図である。
【００８３】
図４（ｃ）では、表示装置１１０が、情報処理装置１２０からの表示情報の受信が途切れている間に、表示する画面の一例を示している。図４（ｂ）と異なる点は、図４（ｂ）で表示しているステップＳ３１６で記憶された表示情報を表示していない点である。この状態で、表示装置１１０が、ＯＫボタン６０５の押下を受付けると、表示画面がＯＮとなり、図４（ｂ）に示されるような表示画面に切り替わる。
【００８４】
図４（ｄ）は、ステップＳ３１４で表示される表示画面の一例を示した構成図である。
【００８５】
再受信テロップ４０３は、表示装置１１０が、情報処理装置１２０からの表示情報を再受信した（再接続した）旨を表示（通知）するテロップである。再受信テロップ４０３は、切断テロップ４０１と同様に、表示情報であれば良く、例えば、記号等であっても構わない。
【００８６】
図５は、図４（ｂ）の画面切り替えの様子の一例を示した構成図である。
【００８７】
ステップＳ３０７で、十字キー６０４の左右方向のボタンの押下を受付けると、ボタンの押下受付けに連動してステップＳ３０８で、図５（ａ）、図５（ｂ）、図５（ｃ）、図５（ｄ）の表示画面が、所定の順番で切換る。切換る表示画面は、いずれの画面にも図５（ａ）と同様に、切断テロップ４０１や、切替案内表示４０２が表示されている。
【００８８】
図６は、表示装置１１０の上部に備えられた入力デバイス２０９等の構成の一例を示した構成図である。
【００８９】
警告ランプ６０１は、ランプユニット２４１の形態の一つである。
【００９０】
警告ランプ６０１は、表示装置１１０が、情報処理装置１２０から、表示情報の受信が途切れた際（切断時）や、途切れて後受付が再開した際（再受信時）に、その旨をランプによって通知する機構である。好ましくは、切断時と再受信時とで通知の仕方を変えておくことが望ましい。例えば、切断時には赤く、再受信には青く光る、といった具合である。あるいは、例えば切断時には点滅し、再受信時には光ったままにする、といった具合である。
【００９１】
スピーカ６０２は、音声機構ユニット２３１の形態の一つである。
【００９２】
スピーカ６０２は、表示装置１１０が、情報処理装置１２０からの表示情報の受信が途切れた際や、再受信した際に、その旨を音声によって通知するための機構である。好ましくは、切断時と再受信とで通知の仕方を変えておくことが望ましい。例えば、切断時には「ブブー」といった、注意喚起促すような音声を、再受信時には「ピンポン！」といった、うまくいったことを連想させるような音声を、それぞれ用いる、といった具合である。他にも、例えば、両者の通知の音程、リズム、メロディを変えるなど、様々な方法が考えられる。
【００９３】
電源ボタン６０３は、表示装置１１０の主電源である。電源の入っていない状態で電源ボタン６０３の押下を受付けると機器を立ち上げたり、ステップＳ３１７等でボタンの押下を受付けると機器の電源を切断したり、するよう設けられている。
【００９４】
十字キー６０４は、表示装置１１０の設定変更や、各種の操作に用いるための入力デバイス２０９のひとつである。ステップＳ３０７で左右方向のボタンの押下を受付けると、図５に示されるような表示画面の切換えを行うことができる。
【００９５】
ＯＫボタン６０５は、表示装置１１０の設定変更や、各種の操作に用いるための入力デバイス２０９のひとつである。ステップＳ３１０でボタンの押下を受付けると、図４（ｃ）に示されるような表示画面への切換えを行うことができる。
【００９６】
以上説明したように、本発明は、表示情報の受信が途切れてもその影響が出にくく映像表示をするとともに、表示情報の受信の復旧を素早く行うことのできる表示装置の仕組みを提供することができる。
【００９７】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９８】
この場合、記録媒体から読み出されたプログラム自体が本発明の新規な機能を実現することになり、そのプログラムを記憶した記録媒体は本発明を構成することになる。
【００９９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１００】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０３】
１１０      情報処理装置
１２０      画像形成装置
２０１      ＣＰＵ
２０２      ＲＯＭ
２０３      ＲＡＭ
２０４      システムバス
２０５      入力コントローラ
２０６      ビデオコントローラ
２０７      メモリコントローラ
２０８      通信Ｉ／Ｆコントローラ
２０９      入力デバイス（ＫＢ／ボタン／タッチパネルなど）
２１０      表示端末（表示部）
２１１      外部メモリ
２２０      映像表示ユニットコントローラ
２２１      映像表示ユニット
２３０      音声機構ユニットコントローラ
２３１      音声機構ユニット
２４０      ランプユニットコントローラ
２４１      ランプユニット
４０１      切断テロップ
４０２      切替案内表示
４０３      再受信テロップ
６０１      警告ランプ
６０２      スピーカ
６０３      電源ボタン
６０４      十字キー
６０５      ＯＫボタン
【図１】
2019101139.tif 000003
【図２】
2019101139.tif 000004
【図３】
2019101139.tif 000005
【図４】
2019101139.tif 000006
【図５】
2019101139.tif 000007
【図６】
2019101139.tif 000008